(57)【要約】【課題】入力端が基本半導体素子で形成され、直流電圧を発生する簡易構成で高感度なタグＩＣを、直流遮断用キャパシタンス等を設けることなく使用することが可能な構造を提供する。【解決手段】周囲を電気的に接続した接地導体２に、両端が電気的に開放された中心導体４からなる直流遮断コプレーナ線路アンテナ３（通信周波数での管内波長λｇの略λｇ／２の線路）を形成し、その直流遮断コプレーナ線路アンテナ３の中心導体４と接地導体２との間に半導体モジュール（タグＩＣ５）を電気的に接続して、半導体モジュールの負荷が直流的に開放状態となるようにすることで、ＩＣの直流遮断用キャパシタンス等を設けることなく、直流電圧を発生する簡易構成で高感度なタグＩＣを使用できるようにする。【選択図】図１
2005149298.tif 000002
【特許請求の範囲】
【請求項１】
半導体モジュールと、接地導体に形成されており両端が電気的に開放された中心導体からなる直流遮断コプレーナ線路アンテナとを備え、前記直流遮断コプレーナ線路アンテナの周辺が前記接地導体にて囲われているとともに、前記半導体モジュールが、前記接地導体と前記中心導体との間に電気的に接続されていることを特徴とする無線タグ。
【請求項２】
半導体モジュールと、接地導体に形成されており両端が電気的に開放された中心導体からなる直流遮断コプレーナ線路アンテナと、前記接地導体に形成されており一端が電気的に開放された中心導体からなる通信周波数での管内波長λｇの略λｇ／４の奇数倍の線路長を有する一端開放コプレーナ線路とを備え、前記直流遮断コプレーナ線路アンテナ及び前記一端開放コプレーナ線路の周辺が共通の接地導体で囲われているとともに、前記直流遮断コプレーナ線路アンテナの中心導体と前記一端開放コプレーナ線路の中心導体の他端との間に前記半導体モジュールが電気的に接続されていることを特徴とする無線タグ。
【請求項３】
前記直流遮断コプレーナ線路アンテナのコプレーナ線路が、通信周波数での管内波長λｇの略λｇ／２の奇数倍の線路長を有するコプレーナ線路であることを特徴とする請求項１または２記載の無線タグ。
【請求項４】
前記直流遮断コプレーナ線路アンテナの中心導体の長さ方向の中央部付近と前記接地導体との間に前記半導体モジュールが電気的に接続されていることを特徴とする請求項１または３記載の無線タグ。
【請求項５】
前記直流遮断コプレーナ線路アンテナの中心導体の長さ方向の中央部付近と前記一端開放コプレーナ線路の中心導体の他端との間に前記半導体モジュールが電気的に接続されていることを特徴とする請求項２または３記載の無線タグ。
【請求項６】
前記接地導体に、一端を短絡したスロット線路が形成されており、そのスロット線路は、前記直流遮断コプレーナ線路アンテナの中心導体と接地導体との間隙に接続されていることを特徴とする請求項１〜５のいずれかに記載の無線タグ。
【請求項７】
前記接地導体に、通信周波数での管内波長λｇの略λｇ／２の奇数倍の線路長を有し、両端が電気的に開放された中心導体からなる補助コプレーナ線路アンテナと、アンテナ接続用コプレーナ線路とが形成されており、前記直流遮断コプレーナ線路アンテナの中心導体と前記補助コプレーナ線路アンテナの中心導体とが前記アンテナ接続用コプレーナ線路の中心導体によって接続されていることを特徴とする請求項１〜６のいずれかに記載の無線タグ。
【請求項８】
前記直流遮断コプレーナ線路アンテナの中心導体と前記補助コプレーナ線路アンテナの中心導体とが互いに平行に配置されているとともに、前記アンテナ接続用コプレーナ線路の線路長が、通信周波数での管内波長λｇの略λｇ／２に設定されていることを特徴とする請求項７記載の無線タグ。
【請求項９】
前記直流遮断コプレーナ線路アンテナの中心導体と前記補助コプレーナ線路アンテナの中心導体とが互いに直交するように配置されていることを特徴とする請求項７記載の無線タグ。
【請求項１０】
前記直流遮断コプレーナ線路アンテナと前記アンテナ接続用コプレーナ線路とが互いに異なる平面上に形成されていることを特徴とする請求項７〜９のいずれかに記載の無線タグ。
【請求項１１】
前記直流遮断コプレーナ線路アンテナと前記アンテナ接続用コプレーナ線路とが曲面上に形成されていることを特徴とする請求項７〜９のいずれかに記載の無線タグ。
【請求項１２】
前記半導体モジュールとして、入力端子に高周波無線信号が入力されたときに直流的に開放した信号入力間に直流電圧を発生する素子が用いられていることを特徴とする請求項１〜１１のいずれかに記載の無線タグ。
【請求項１３】
請求項１〜１２のいずれかに記載の無線タグを備えていることを特徴とする物品。
【請求項１４】
請求項１〜１２のいずれかに記載の無線タグまたは請求項１３記載の物品の無線タグと、前記無線タグに質問信号を送出して当該無線タグからの応答信号を受信するリーダとを備えていることを特徴とするＲＦＩＤシステム。
【発明の詳細な説明】
【技術分野】
【０００１】
本発明は、例えばＲＦＩＤ（Ｒａｄｉｏ  Ｆｒｅｑｕｅｎｃｙ  Ｉｄｅｎｔｉｆｉｃａｔｉｏｎ）システムなどに用いられる薄型の無線タグ及びそれを備えた物品並びにＲＦＩＤシステムに関する。
【背景技術】
【０００２】
ＲＦＩＤシステムは、通常、書き込み・読み出し機能を持つリーダと無線タグから構成される。従来、特にマイクロ波領域では、無線タグとして、バッテリーを内蔵したタグがＦＡ分野等でよく利用されている。また、最近では、リーダからの送信電波を検波し、それを駆動電力としてタグ動作を行わせるバッテリーレスタグが登場し、多くの分野で様々な活用が検討されており、ＦＡのほか、物流・流通関連などの分野で大きな活用展開が予定されている。
【０００３】
ＲＦＩＤシステムは、例えば図１４に示すように、リーダＲＷと無線タグＴとから構成されており、リーダＲＷは電波信号を送出し、このリーダＲＷからの送出電波信号を無線タグＴが受け、タグ内のメモリに蓄積された情報で、入力信号に反射変調を与えてリーダＲＷに返送する。そして、無線タグＴから返送された信号をリーダＲＷにて復調してタグ情報を取り出すようになっている。
【０００４】
このようなＲＦＩＤシステムに利用される無線タグとして、機器（装置）等に実装する平面状のタグが現在までに商用化されている。その代表的な無線タグの例を図１５（Ａ）及び（Ｂ）に示す。
【０００５】
図１５（Ａ）に示す無線タグＴ３０は、誘電体基板３０６の上に、ダイポールアンテナ３０２を形成するとともに、タグＩＣ３０５を組み込んで一体化したものである。図１５（Ｂ）に示す無線タグＴ３１は、同様の誘電体基板３０６上にループ状のアンテナ３１２を形成してタグＩＣ３０５と一体化したものである。これらの無線タグＴ３０，Ｔ３１は、いずれも簡易なタグとして有効である。また、図１５（Ｂ）の無線タグＴ３１は、図１５（Ａ）の無線タグＴ３０に比べて、アンテナ放射抵抗が大きく、タグＩＣから見たアンテナのインピーダンスが異なるため、タグＩＣの特性と相まって適した方式が使われる。
【０００６】
図１５に示すような無線タグは、容易に形成されるが、接地面がなくアンテナの長さ方向を軸として、その回り全方向にわたって指向特性を示す。そのため、多方向から無線タグに対して通信可能であり便利な面もあるが、逆に、これら無線タグを物体に装着する場合、物体の影響を受けやすくて使用が制限される場合がある。
【０００７】
例えば、金属面を持つ各種の機器や、金属表面を持つ容器などの物品に対して実装する場合に多くの制約を受けることがある。特に、各種の情報・通信・家電機器等において、外部からの電波妨害を抑圧し、電波不用輻射を阻止するために、筺体の表面が金属体でコーティングされている場合、図１５に示したような従来型の無線タグでは、実装上の大きな制約が課せられる。
【０００８】
次に、マイクロ波帯で使われるタグＩＣの特徴について説明する。
【０００９】
まず、マイクロ波帯で使われるタグＩＣとして、通信感度を高めた高感度なタグＩＣが提案されている（例えば、特許文献１参照。）。この特許文献１に記載のタグＩＣ（無線周波数トランスポンダ）４０５は、図１６に示すように、マイクロ波部において信号を検波整流するダイオード４０１や変調や復調を行うダイオードと、変調用のためのトランジスタ４０２及び周辺リアクタンス等の基本素子を集積して構成されている。
【００１０】
ここで、タグＩＣのＩＣ構成においては、（１）ＩＣ素子の動作感度を高めるため、アンテナから取り込んだ信号を可能な限り損失を与えることなく基本素子に導くことが重要であり、また、（２）基本素子の形成においては、如何にしてシンプルな構成にするかが重要である。さらに、（３）現在、ＲＦＩＤには９００ＭＨｚ帯や２４００ＭＨｚ帯等の周波数帯域が割り与えられており、タグＩＣとしては共用できる構成とすることが望ましい。
【００１１】
これらの点を実現するには、アンテナの接続部（ＩＣの入力部）に対し、より近い位置に基本素子を形成すること、すなわちダイオードやトランジスタ等の基本素子をアンテナ部に直結して形成することが有効であり、入力端にキャパシタンス等のリアクタンスを形成することは、使用周波数帯域を制限することにもなるので望ましくない。
【００１２】
しかしながら、前記した図１６に示すタグＩＣ４０５では、アンテナと接続するＩＣの入力端部において、検波整流用のダイオードにて直流電圧を発生させることにより、制御回路やメモリ回路等を起動する方法であり、この場合、アンテナ形成上において重要な点は、タグＩＣの入力端部４０３に電圧が発生するため、タグＩＣよりアンテナ側をみたインピーダンスを、直流的に開放状態とする必要がある。すなわち、アンテナ側インピーダンスが短絡状態にあるとタグＩＣが動作不能となる。なお、アンテナ側インピーダンスを直流的に開放状態とするには、タグＩＣの入力部に直列にキャパシタンスを設ければよいが、前記した点を勘案すると良策とは言えない。
【００１３】
従って、上記した高感度なタグＩＣ（入力端子間に直流電圧を発生するＩＣ）を無線タグに適用する際に、タグのアンテナとして、例えば図１５（Ｂ）に示したようなループ状のアンテナを使用する場合、図中波線で示す直流遮断用のキャパシタンス３０７を設けるか、あるいは他の方法を工夫する必要がある。そのため、この種のアンテナ構成は、タグ形成の簡易化・小型化・量産性には適さない。
【００１４】
一方、アンテナに関する技術として、電子回路一体型スロットアンテナが提案されている（例えば、特許文献２参照。）。この特許文献２に記載のアンテナでは、図１７に示すように、スロットアンテナ５０６が形成された基板の接地面５０２上にコプレーナ線路５０３を形成し、このコプレーナ線路５０３の一端をスロットアンテナ５０６に接続して給電回路とする。その接続形態は、コプレーナ線路の中心導体５０４を延長してコプレーナ線路とスロットアンテナとを接続している。電子回路５０５は、スロットアンテナ５０６からコプレーナ線路５０３に変換し、延長した中心導体５０４と接地面５０２との間に接続している。
【００１５】
しかしながら、図１７に示す電子回路一体型スロットアンテナでは、スロットアンテナ５０６の接地面５０２とコプレーナ線路５０３の中心導体５０４とを直接接続して線路変換を行っているため、中心導体５０４は接地面に直流的に短絡されている。従って、図１７に示すような従来のアンテナでは、前述した高感度に設計されたタグＩＣを接続することは不可能である。なお、その他の平面状アンテナとして、コプレーナアンテナや、スロットアンテナ等の平面状アンテナなどの様々な例はあるが、直流電圧を発生する簡易構成で高感度なタグＩＣを用いて無線タグを構成した例はない。
【特許文献１】特願平９−７４３７０号公報
【特許文献２】特開平７−２３５８２６号公報
【発明の開示】
【発明が解決しようとする課題】
【００１６】
前述したように、無線タグに用いられるタグＩＣにおいては、通信感度を高めたり、作成を簡易にするために、ＩＣの入力端にダイオードやトランジスタ等の基本半導体素子を形成している（図１６参照）。そのため、この種のタグＩＣを用いる場合、アンテナ素子形成において、タグＩＣから外側をみた直流インピーダンスを開放状態とする必要があるが、従来のループアンテナを用いた方式では、短絡回路となるため、ループアンテナ上にキャパシタンスを用いて直流的に遮断するか、もしくは他の遮断方法を用いることが必要であり、回路が複雑化するため量産には適さない。
【００１７】
また、従来の薄型の無線タグでは、誘電体基板上に金属線状のアンテナを形成しているので、１つのアンテナ軸に対して、全方向に電波の指向性を有するが、逆に、アンテナ近傍の材質の影響を受ける。例えば、金属面で形成される各種の機器筺体や容器、あるいは部品実装基板に無線タグを設ける場合、周囲の金属体の影響を受けてしまい、無線タグの動作が不安定となり利用範囲が制約される。また、タグアンテナを形成するためのスペースも必要になる。
【００１８】
本発明はそのような点を解消するためになされたもので、入力端が基本半導体素子で形成され、直流電圧を発生する簡易構成で高感度なタグＩＣを、直流遮断用キャパシタンス等を設けることなく使用することが可能であり、しかも、金属面を持つ各種の機器・部品実装基板や容器等の物品への組み込みにも適した薄型の無線タグを提供すること、及び、そのような特徴を有する無線装置を備えた物品並びにＲＦＩＤシステムを提供することを目的とする。
【課題を解決するための手段】
【００１９】
本発明の無線タグは、半導体モジュール（例えばタグＩＣ）と、接地導体に形成されており両端が電気的に開放された中心導体からなる直流遮断コプレーナ線路アンテナとを備え、前記直流遮断コプレーナ線路アンテナの周辺が前記接地導体にて囲われているとともに、前記半導体モジュールが、前記接地導体と前記中心導体との間に電気的に接続されていることを特徴としている。
【００２０】
この発明の無線タグにおいて、前記直流遮断コプレーナ線路アンテナの中心導体の長さ方向の中央部付近と前記接地導体との間に前記半導体モジュールが電気的に接続されていることが好ましい。
【００２１】
本発明の無線タグは、半導体モジュールと、接地導体に形成されており両端が電気的に開放された中心導体からなる直流遮断コプレーナ線路アンテナと、前記接地導体に形成されており一端が電気的に開放された中心導体からなる一端開放コプレーナ線路とを備え、前記直流遮断コプレーナ線路アンテナ及び前記一端開放コプレーナ線路の周辺が共通の接地導体で囲われているとともに、前記直流遮断コプレーナ線路アンテナの中心導体と前記一端開放コプレーナ線路の中心導体の他端との間に前記半導体モジュールが電気的に接続されていること特徴としている。
【００２２】
この発明において、一端開放コプレーナ線路の線路長は、通信周波数での管内波長λｇの略λｇ／４であることが好ましい。また、半導体モジュールは、直流遮断コプレーナ線路アンテナの中心導体の長さ方向の中央部付近に接続することが好ましい。
【００２３】
本発明の無線タグによれば、マイクロ波に適した平面構造導波路として知られているコプレーナ線路をアンテナとして用いるとともに、このコプレーナ線路の中心導体の両端を開放し、その中心導体の両端の接地面を同電位（共通の接地導体）として、コプレーナ線路にて直流電流を遮断するための回路を構成しているので、アンテナ回路を直流的に開放状態（タグＩＣ接続点よりアンテナ側を見たインピーダンスが開放状態）にすることが可能となる。従って、半導体モジュールとして、入力端が基本半導体素子で形成され、直流電圧を発生する簡易構成で高感度なタグＩＣの使用も可能になる。しかも、そのような簡易構成で高感度なタグＩＣの接続する場合でも、ＩＣの直流遮断用キャパシタンス等は不要であり、無線タグ全体の構成を簡略化することができる。
【００２４】
また、本発明の無線タグにおいて、接地導体に対して電気的に遮断され、かつ物理的に遮断された熱容量が小さな一端開放コプレーナ線路に半導体モジュールを接続するという構成を採用すれば、半導体モジュールを搭載する際の半田付け等の接続が容易になる。
【００２５】
本発明の無線タグにおいて、前記直流遮断コプレーナ線路アンテナのコプレーナ線路が、通信周波数での管内波長λｇの略λｇ／２の奇数倍の線路長を有するコプレーナ線路であることが好ましい。
【００２６】
本発明の無線タグにおいて、前記接地導体に、一端を短絡したスロット線路を形成するとともに、そのスロット線路を、前記直流遮断コプレーナ線路アンテナの中心導体と接地導体との間隙に接続するという構成を採用してもよい。
【００２７】
この発明によれば、スロット線路内にも電界が進入して中心導体と接地導体との間にリアクタンス成分が装荷されることになり、従って、スロット線路の線路長を調整することにより、直流遮断コプレーナ線路アンテナの等価線路長を変えることで、無線タグとしての最適放射特性が得られるように調整することができる。
【００２８】
本発明の無線タグにおいて、前記接地導体に、前記直流遮断コプレーナ線路アンテナに加えて、通信周波数での管内波長λｇの略λｇ／２の奇数倍の線路長を有し、両端が電気的に開放された中心導体からなる補助コプレーナ線路アンテナと、アンテナ接続用コプレーナ線路とを形成し、前記直流遮断コプレーナ線路アンテナの中心導体と前記補助コプレーナ線路アンテナの中心導体とを前記アンテナ接続用コプレーナ線路の中心導体によって接続してマルチアンテナタグを構成してもよい。
【００２９】
このようなマルチアンテナタグにおいて、直流遮断コプレーナ線路アンテナの中心導体と補助コプレーナ線路アンテナの中心導体とが互いに平行となるように配置し、直流遮断コプレーナ線路アンテナの電界方向と、補助コプレーナ線路アンテナの電界方向とが同方向となるようにすると、電界放射の強度を強くすることができ、ＲＦＩＤシステムにおいて通信の信頼性を高めることができる。また、リーダアンテナとタグ間の通信距離を伸ばすことができる。なお、この構成を採用する場合、アンテナ接続用コプレーナ線路の線路長を、通信周波数での管内波長λｇの略λｇ／２に設定することが望ましい。
【００３０】
また、直流遮断コプレーナ線路アンテナの中心導体と補助コプレーナ線路アンテナの中心導体とが互いに直交する配置とし、直流遮断コプレーナ線路アンテナの電界方向と、補助コプレーナ線路アンテナの電界方向とが異なる方向（例えば互いに直交する方向）となるようにすると、リーダアンテナから放射される２種の直線偏波信号をとらえることができ、無線タグとリーダとの間の通信の自由度を高めることができる。例えば、リーダアンテナからの送信信号が垂直または水平偏波信号であれば、いずれの信号とも通信可能になる。この構成を採用する場合、アンテナ接続用コプレーナ線路のコプレーナ線路の線路長は、コプレーナ線路の通信周波数での等価電気波長（管内波長）λｇの半波長（略λｇ／２）または略λｇ／２の整数倍に設定することが好ましい。
【００３１】
本発明の無線タグにおいて、前記直流遮断コプレーナ線路アンテナと前記アンテナ接続用コプレーナ線路とを互いに異なる平面（例えば互いに直交する２つの平面）上または曲面上に形成しておけば、無線タグに対して、２方向からリーダアンテナで通信することが可能になり、タグ読取操作の自由度を高めることができる。
【００３２】
本発明の無線タグは、特に、入力端子に高周波無線信号が入力されたときに直流的に開放した信号入力間に直流電圧を発生するタグＩＣを搭載するのに適している。
【００３３】
本発明の物品は、前記した特徴を有する無線タグを備えていることによって特徴づけられる。なお、本発明が対象とする物品は、例えば、テレビ、パソコン、冷蔵庫、携帯電話などの電子機器、物品実装基板などの各種機器に使用されている基板、カメラ、携帯電話等のケースや瓶等の容器などが挙げられるが、各種分野で一般に使用されている物品の金属部を利用し、タグ形成が要求されるものであれば、任意の物品に適用できる。
【００３４】
本発明のＲＦＩＤシステムは、前記した特徴を有する無線タグ（もしくは前記した物品の無線タグ）と、前記無線タグに質問信号を送出して当該無線タグからの応答信号を受信するリーダによって構成されていることを特徴としている。
【発明の効果】
【００３５】
本発明の無線タグによれば、接地導体に両端が電気的に開放された中心導体からなる直流遮断コプレーナ線路アンテナ（通信周波数での管内波長λｇの略λｇ／２の奇数倍の線路長）を形成し、その直流遮断コプレーナ線路アンテナの中心導体と接地導体との間に半導体モジュール（タグＩＣ）を電気的に接続しているので、半導体モジュールの負荷が直流的に開放状態となる。従って、実装する半導体モジュールが入出力端子に直流電流を発生する高感度なタグＩＣであっても、ＩＣ入力端に直流遮断キャパシタンスを形成したり、アンテナ内にキャパシタンスを設けるなどの必要がなくなり、前記した直流電圧を発生する高感度なタグＩＣを含めた如何なる半導体モジュールを利用することができる。
【００３６】
さらに、直流遮断コプレーナ線路アンテナは平面状線路であり、タグＩＣ等の半導体モジュールについても平面実装することができるので、無線タグ（無線タグ）を一平面で構成できる。しかも、接地導体にスリット加工等により直流遮断コプレーナ線路アンテナを形成すればよいので、製作が簡単であり量産に適している。また、タグ形成のための接地面付き基板などを用意することなく、電波放射特性が良好な無線タグを容易に形成できるという利点もある。
【００３７】
ここで、本発明においては、金属面等を接地導体とし、その接地導体に直流遮断コプレーナ線路アンテナを形成するとともに、この直流遮断コプレーナ線路アンテナの中心導体の両端を開放し、その中心導体の両端の接地面を同電位として、コプレーナ線路にて直流電流を遮断するための回路を構成してタグＩＣを接続しているので、接地面付近での信号の指向性が小さくてその周辺の影響を受け難くなる。これにより、例えば金属面で形成される各種の機器筺体や容器、あるいは部品実装基板に無線タグを形成することが可能になる等、広範囲の物品に利用することができる。
【００３８】
さらに、金属面等の接地導体をベースとしているので、各種の機器や容器等の金属表面を接地導体として利用して、その接地導体にスリットを形成することにより、直流遮断コプレーナ線路アンテナを簡単に形成することができる。従って、各種の機器・部品実装基板や容器等の物品に形成された金属面（金属層）を利用して、上記した特徴を有する無線タグを各種物品に簡単に設けることができる。
【００３９】
例えば、コンピューターや携帯電話等の金属筺体に各線路用のスリットを設け、タグＩＣ等の半導体モジュールを取り付けるのみで、簡単に無線タグ等を設けることができる。しかも、周囲を電気的に接続した接地導体に直流遮断コプレーナ線路アンテナを形成しているので、不要輻射や外部電波との干渉を改善するために筺体表面全体が金属面で囲まれた機器・装置などにおいて、表面の金属面を接地導体として利用することにより、無線タグを簡単に構成することができる。
【００４０】
これらタグ組み込みによる商品の特定化は、生産・物流・リサイクル過程における商品管理の実現が可能となる。また、商品生産時の生産効率を改善する際にも有効に利用できる。
【００４１】
そして、以上のような特徴を有する無線タグを使用することにより、ＦＡ・物流・流通などの各種分野において、信頼性の高いＲＦＩＤシステムを簡単に構築することが可能になる。
【発明を実施するための最良の形態】
【００４２】
以下、本発明の実施形態を図面に基づいて説明する。
【００４３】
まず、本発明は、マイクロ波に適した平面構造形導波路として知られている、コプレーナ線路の中心導体の両端を電気的に開放し、周囲を接地導体部で囲い、中心導体と接地導体間にタグＩＣを接続する。コプレーナ線路の中心導体を直流遮断することにより、アンテナ回路を直流的に開放状態（タグＩＣ接続点よりアンテナ側を見たインピーダンスが開放状態）にすることで、半導体モジュールとして、入力端が基本半導体素子で形成され、直流電圧を発生する簡易構成で高感度なタグＩＣを用いる場合でも、ＩＣ入力端への直流遮断キャパシタンスの形成やアンテナ内へのキャパシタンスの形成などを行う必要のない回路構成を提供する点に特徴がある。その具体的な例（実施形態１〜実施形態７）を以下に示す。
【００４４】
なお、コプレーナ線路ついては、実用マイクロ波技術講座：理論と実際、第１巻（小西良弘著、日刊工業新聞社、２００１年２月）の頁１３７〜１３９、頁３１７〜３２３（以下、資料１という）に、その基本構成と特性インピーダンス等が説明されている。
【００４５】
＜実施形態１＞
図１は本発明による無線タグの一例を模式的に示す図である。なお、図１（Ｂ）は図１（Ａ）のＸ−Ｘ断面図である。
【００４６】
この例の無線タグＴ０は、誘電体基板１上に接地導体２を形成した平面構造のタグで、接地導体２に、両端が開放された中心導体４からなる直流遮断コプレーナ線路アンテナ３の中心導体４と接地導体２との間にタグＩＣ５が電気的に接続されている。直流遮断コプレーナ線路３の両側には、線路電気長を調整するため、小型タグＩＣ５の実装を容易とするため、または、ＩＣの回路調整のため等にコプレーナ線路の前後線路の一部を接続したものがある。以下、これをスロット線路６と名付ける。スロット線路６は、必要により用いることができ、その接続の個数は、一つでも複数個でもよく、または、用いなくてもよい。また、当スロット線路は、接地導体と中心導体間の他の領域に用いても同様の効果を得ることもできる。
【００４７】
直流遮断コプレーナ線路アンテナ３及びスロット線路６の周辺は共通の接地導体２によって囲われており、直流遮断コプレーナ線路アンテナ３の両端の接地面は同電位となっている。
【００４８】
直流遮断コプレーナ線路アンテナ３のコプレーナ線路長は、このコプレーナ線路における通信周波数の等価電気波長（管内波長）λｇの略λｇ／２の長さに設定されている。なお、詳細な説明は省略するが、直流遮断コプレーナ線路アンテナ３のコプレーナ線路の管内波長λｇは、中心導体４の幅Ｓ、中心導体４と接地導体２との間隙の幅Ｗ、使用する誘電体基板１の誘電率及び誘電体基板１の厚さ等から求められる。
【００４９】
また、直流遮断コプレーナ線路アンテナ３は、誘電体基板１上に接地面である接地導体２と中心導体４とが同一平面上に形成されており、誘電体基板１の厚さや誘電体特性はインピーダンスや回路などに影響を与えるが、誘電体基板１上に導体平面が形成できるものであれば特に問題はない。これら回路の特性インピーダンスに関しては、前記した資料１に記載されているので詳細な説明は省略するが、いずれも、接地導体２と中心導体４との間隙を狭くすれば、特性インピーダンスは低くなる。
【００５０】
ここでは、スロット線路６はタグＩＣ５から見て対称の位置関係となる４箇所に設けられている。各スロット線路６は、直流遮断コプレーナ線路アンテナ３の中心導体４と接地導体２との間隙に接続されており、これによりスロット線路６内にも電界が進入して中心導体４と接地導体２との間にリアクタンス成分が装荷されることになる。従って、スロット線路６の長さＬを調整することにより、直流遮断コプレーナ線路アンテナ３の等価線路長をλｇ／２に調整することもできる。
【００５１】
そして、この例では、図１に示すように、直流遮断コプレーナ線路アンテナ３の中心導体４と接地導体２との間にタグＩＣ５を平面的に接続している。このような接続形態で、直流遮断コプレーナ線路アンテナ３の中心導体４の一端は開放端となり、接地面である接地導体２とは直流的に遮断される。この場合、タグ動作としては、タグＩＣ５はそれ自体から信号を送出することはできないが、リーダから信号を受けタグＩＣ５から反射信号が返送される状態を想定すると（信号源がタグＩＣ部に接続された状態と等価）、直流遮断コプレーナ線路アンテナ３上では図１に示すような電界分布（破線矢印）が発生することになる。
【００５２】
ここで、両端開放で略λｇ／２（λｇは等価波長）の線路長を有するコプレーナ線路は、通常の半波長両端開放ストリップライン共振系と類似した電界分布と見なされ、線路開放端部では、電圧が最大となり線路中間部では電圧が最小となる。また、図１に示す直流遮断コプレーナ線路アンテナ３においては、中心導体４の中心線（仮想線）Ｐに対し、中心導体４と接地導体２（接地面）との間の電界成分は対称に分布する（中心導体４と接地導体２との間隙の幅Ｗが中心線Ｐの両側で等しい場合）。そのため、これに基づく電波放射は概ね打ち消し合い主たる放射の役割を果たさないが、線路端部での電界成分は、両端で同方向となり同相となり、電波は中心導体４の長さ方向に沿う方向（図１の横方向）の電界成分が強くなり、コプレーナ線路面の前後（紙面上下）に波放射される。なお、無線タグから信号を放射する場合を述べたが、リーダから信号波を受信する時、送られてきた信号の電界成分は、直流遮断コプレーナ線路アンテナ３の中心導体４の長さ方向と平行な電界成分を有するようにリーダアンテナの設定が必要である。
【００５３】
以上のように、この例では、コプレーナ線路をアンテナとして用いるとともに、このコプレーナ線路の中心導体を開放し、その中心導体の両端の接地面を同電位として、コプレーナ線路にて直流電流を遮断するための回路を構成しているので、タグＩＣ５の入力端から外側を見た直流インピーダンスが開放状態となる。これにより、タグＩＣ５として、入力端がダイオードやトランジスタで構成されたタグＩＣ（例えば図１６に示したタグＩＣ）を適用しても動作することが可能となる。
【００５４】
次に、無線タグＴ０の動作を説明する。
【００５５】
まず、図１４に示したＲＦＩＤシステムにおいて、リーダＲＷから送られた信号は、無線タグＴ０の直流遮断コプレーナ線路アンテナ３で捉えられ、タグＩＣ５に供給される。タグＩＣ５では、ＩＣ内のメモリ情報で、入力信号が反射変調され、再び直流遮断コプレーナ線路アンテナ３から送出される。このとき、直流遮断コプレーナ線路アンテナ３から放射される信号は、直流遮断コプレーナ線路アンテナ３面の前後方向（紙面上下）に放射され、リーダＲＷ側に放射された信号は、リーダＲＷのアンテナで受信され復調される。これにより、無線タグＴ０が動作してタグ内の情報がリーダＲＷで取り出される。
【００５６】
以上の図１に示す無線タグＴ０において、直流遮断コプレーナ線路アンテナ３の中心導体４の上下の間隙の幅Ｗを換えて共振周波数や帯域幅の調整を行うようにしてもよい。また、上下の間隔Ｗを異なった寸法にしてもよい。その場合の各調整量は実験的にて最適値を求めることができる。ただし、ＲＦＩＤ動作においては、リーダアンテナから放射される電界方向も紙面横方向の成分を有するように設定することが必要になる。
【００５７】
なお、図１の例では、スロット線路６をタグＩＣ５から見て対称となる４箇所に設けているが、これに限られることなく、スロット線路６は、非対称な１箇所もしくは２箇所に設けてよい。また、コプレーナ線路の最適長化やタグＩＣとの整合が図れるなら、スロット線路は用いなくてもよい。スロット線路６を設ける位置は、特に限定されず、直流遮断コプレーナ線路アンテナ３の中心導体４と接地導体２との間隙であればよく、例えば電界分布強度の強い線路の中央部付近に設けてもよい。
【００５８】
図３（Ａ）は調整用のスロット線路６を省略した例で、両端が電気的に開放された中心導体２４からなる直流遮断コプレーナ線路アンテナ２３のみを接地導体２２に形成し、その直流遮断コプレーナ線路アンテナ２３の中心導体２４の長さ方向の一端部と接地導体２２との間にタグＩＣ５を電気的に接続して無線タグＴ２を構成している。
【００５９】
また、図１の例では、直流遮断コプレーナ線路アンテナ３の中心導体４の長さ方向の一端部にタグＩＣ５を接続しているが、本発明はこれに限れられることなく、図２に示すように、直流遮断コプレーナ線路アンテナ１３の中心導体１４の長さ方向の中央部付近と接地導体１２との間にタグＩＣ５を電気的に接続して無線タグＴ１を構成してもよい。
【００６０】
図２の例の場合、直流遮断コプレーナ線路アンテナ１３内に図２の破線矢印で示すような電界分布が発生し、電波は中心導体１４の長さ方向と直交する方向（図２の上下方向）の電界成分が強くなり、コプレーナ線路面の前後に波放射される。
【００６１】
なお、図２の例においても、調整用のスロット線路１６が４箇所に設けられているが、このようなスロット線路１６を省略して、図３（Ｂ）に示すように、両端が電気的に開放された中心導体３４からなる直流遮断コプレーナ線路アンテナ３３のみを接地導体３２に形成し、その直流遮断コプレーナ線路アンテナ３３の中心導体３４の長さ方向の中央部付近と接地導体３２との間にタグＩＣ５を電気的に接続して無線タグＴ３を構成してもよい。
【００６２】
＜実施形態２＞
図４は本発明による無線タグの別の例を示す図である。
【００６３】
図４の（Ａ）の例における無線タグＴ４は、誘電体基板（図示せず）上に接地導体４２を形成した平面構造のタグで、接地導体４２に、両端が開放された中心導体４４からなる直流遮断コプレーナ線路アンテナ４３と、スロット線路４６が形成されており、直流遮断コプレーナ線路アンテナ４３と接地導体４２との間にタグＩＣ５が電気的に接続されている。直流遮断コプレーナ線路アンテナ４３及びスロット線路４６の周辺は共通の接地導体４２によって囲われており、直流遮断コプレーナ線路アンテナ４３の両端の接地面は同電位となっている。
【００６４】
この例では、直流遮断コプレーナ線路アンテナ４３の中心導体４４の幅Ｓを、図１に示す例よりも広くした例である。例えば、コプレーナ線路長とその中心導体４４の幅Ｓを、夫々通信周波数の等価電気波長（管内波長）λｇの略λｇ／４の長さに設定する。
【００６５】
この場合中心導体４４の幅Ｓを広くしているので、電界の横方向の分布（伝搬）を考慮する必要がある。この点について詳しく説明する。
【００６６】
まず、中心導体４４は、当該中心導体４４の中心線Ｐを基軸として、その片側の横幅方向と長さ方向とを合わせた長さで、スロット線路４６のリアクタンス分も含めて等価的に略λｇ／２程度の共振線路となる。タグＩＣ５は、図１の例と同様に、中心導体４４の端部中央部付近と接地導体４２との間に接続されているので、この接続形態における電界分布は部分的に示したが図４（Ａ）の破線矢印のようになる。この電界分布からわかるように、中心導体４４の幅Ｓつまり中心導体４４の端部領域が長くなっているため、図１の例に比べて中心導体４４の端部（図４（Ａ）の横方向の端部）からの電波放射が大きくなる。一方、中心導体４４の側部（図４（Ａ）の上下方向の端部）の電界方向は接地面に対してほぼ対称で逆方向であり、中心導体４４と接地導体４２との間隙の幅が中心線Ｐの両側（図４（Ａ）の上下）において等しい場合、これらの強さは等しくなるので、中心導体４４の側部からの電波放射は小さくなる。従って、この例においても、電波は中心導体４４の長さ方向に沿う方向（図４（Ａ）の横方向）の電界成分が強くなり、コプレーナ線路面の前後（紙面横方向）に放射される。
【００６７】
図４の（Ｂ）の別の例における無線タグＴ４は、図４（Ａ）にて、タグＩＣ５の位置を中心線Ｐからずらせ下部のコーナー付近に設置したものである。
【００６８】
この場合、中心導体４４と設置導体間の電界分布は図示した如くとなり、間隙の上下方向及び左右横方向で電界は同方向となり、放射電波は直交した電界成分を有することとなる。この場合、リーダとの通信は当直交した電界と平行した成分を有する信号波により可能となる。これにより、リーダによる通信の方向に自由度を持たせることも可能となる。他のＩＣの位置においても同様の説明ができ、通信の自由度を高めることができる。
【００６９】
この例においても、コプレーナ線路をアンテナとして用いるとともに、このコプレーナ線路の中心導体つまり共振線路を形成する中心導体４４を接地面（接地導体４２）と直流的に開放しているので、タグＩＣ５の入力端から外側を見た直流インピーダンスが開放状態となる。これにより、タグＩＣ５として、入力端がダイオードやトランジスタで構成されたタグＩＣ（例えば図１６に示したタグＩＣ）を適用しても動作することが可能となる。
【００７０】
また、直流遮断コプレーナ線路アンテナ４３の中心導体４４と接地導体４２との間隙にスロット線路４６が設けられているので、これらスロット線路４６の長さＬを調整することにより、直流遮断コプレーナ線路アンテナ４３の等価線路長をλｇ／２に調整することができる。
【００７１】
なお、この例において無線タグＴ４の動作は、前記した＜実施形態１＞と同じであるので、その詳細な説明は省略する。
【００７２】
＜実施形態３＞
図５は本発明による無線タグの別の例を示す図である。
【００７３】
この例の無線タグＴ５は、誘電体基板（図示せず）上に接地導体５２を形成した平面構造のタグで、接地導体５２に、両端が開放された中心導体５４からなる直流遮断コプレーナ線路アンテナ５３と、その直流遮断コプレーナ線路アンテナ５３のコプレーナ線路の両側にそれぞれスロット線路５６が形成されており、直流遮断コプレーナ線路アンテナ５３と接地導体５２との間にタグＩＣ５が電気的に接続されている。直流遮断コプレーナ線路アンテナ５３及びスロット線路５６の周辺は共通の接地導体５２によって囲われており、直流遮断コプレーナ線路アンテナ５３の両端の接地面は同電位となっている。
【００７４】
この例では、直流遮断コプレーナ線路アンテナ５３の中心導体５４の幅Ｓを、図１に示す例に比べて極端に広くした点、及び、その中心導体５４の幅Ｓをコプレーナ線路における通信周波数の等価電気波長（管内波長）λｇの略λｇ／２の長さに設定している点に特徴がある。
【００７５】
この例の場合、タグＩＣ５が中心導体５４の幅Ｓの中心部付近に接続されているので、中心導体５４の中心線Ｐを中心として、中心導体５４と接地導体５２との間の電界はほぼ対称に分布し、また、線路長が非常に短いため中心導体５４の端部（図５の上下方向の端部からの電波放射は小さいが、中心導体５４の側部（図５の横方向の端部）での電波放射が強くなり、コプレーナ線路面の前後に波放射される。
【００７６】
そして、この例においても、コプレーナ線路をアンテナとして用いるとともに、このコプレーナ線路の中心導体つまり共振線路を形成する中心導体５４を接地面（接地導体５２）と直流的に開放しているので、タグＩＣ５の入力端から外側を見た直流インピーダンスが開放状態となる。これにより、タグＩＣ５として、入力端がダイオードやトランジスタで構成されたタグＩＣ（例えば図１６に示したタグＩＣ）を適用しても動作することが可能となる。
【００７７】
また、直流遮断コプレーナ線路アンテナ５３の中心導体５４と接地導体５２との間隙の４箇所にスロット線路５６が設けられているので、これらスロット線路５６の長さを調整することにより、直流遮断コプレーナ線路アンテナ５３の等価線路長をλｇ／２に調整することができる。
【００７８】
なお、この例において無線タグＴ５の動作は、前記した＜実施形態１＞と同じであるので、その詳細な説明は省略する。ただし、リーダから信号波を受信する時、送られてきた信号の電界成分は、直流遮断コプレーナ線路アンテナ５３の中心導体５４と接地導体５２間の電界成分（図５の横方向の電界成分）と平行な電界成分を有するようリーダアンテナの設定が必要である。
【００７９】
＜実施形態４＞
図６は本発明による無線タグの別の例を示す図である。
【００８０】
この例の無線タグＴ６は、図５に示した構成に加えて、接地導体６２に一端開放コプレーナ線路７を形成した点に特徴があり、それ以外の構成は図５と同じである。
【００８１】
ここでは一端開放コプレーナ線路７はＬ字状に形成されている。一端開放コプレーナ線路７の線路長は、通信周波数の等価電気波長（管内波長）λｇの略λｇ／４の長さに設定されている。一端開放コプレーナ線路７の中心導体８の他端は、直流遮断コプレーナ線路アンテナ６３の中心導体６４の長さ方向の中心部付近（線路長（幅Ｓ）の中心部付近）の間隙に接続されており、その一端開放コプレーナ線路７の中心導体８の他端と直流遮断コプレーナ線路アンテナ６３の中心導体６４の中心部付近との間にタグＩＣ５が電気的に接続されている。
【００８２】
この例によれば、接地導体６２（タグＩＣ５の接地面側）に一端開放で略λｇ／４の長さを有する一端開放コプレーナ線路７を設け、この一端開放コプレーナ線路７の中心導体８と直流遮断コプレーナ線路アンテナ６３の中心導体６４との間にタグＩＣ５を接続しているので、一端開放で略λｇ／４の線路長の一端開放コプレーナ線路７の他端が信号周波数に対して短絡面となるため、タグＩＣ５は接地面に接続されたのと等価になる。しかも、一端開放コプレーナ線路７の中心導体８は、接地導体６２に対しても物理的に遮断され熱容量が小さくなるので、半田付け等の接続が容易となる。
【００８３】
なお、図１〜図５に示した構造では、タグＩＣ５の一端子を、直流遮断コプレーナ線路アンテナの接地導体２，１２，２２，３２，４２，５２に直接接続しているので、タグＩＣ５の接続時において、各接地導体の大きさ形態にもよるが、接地導体の熱容量が大きい場合には接続に問題が生じる場合がある。
【００８４】
この例において無線タグＴ６の動作は、前記した＜実施形態１＞と同じであるので、その詳細な説明は省略する。ただし、リーダから信号波を受信する時、送られてきた信号の電界成分は、直流遮断コプレーナ線路アンテナ６３の電界成分（図６の横方向の電界成分）と平行な電界成分を有するようリーダアンテナの設定が必要である。
【００８５】
＜実施形態５＞
図７は本発明による無線タグの別の例を示す図である。
【００８６】
この例の無線タグＴ７は、誘電体基板（図示せず）上に接地導体７２を形成した平面構造のタグであって、図５の例と同様に、接地導体７２に、両端が開放された中心導体７４からなる直流遮断コプレーナ線路アンテナ７３と、接地導体７２にスロット線路７６を形成し、直流遮断コプレーナ線路アンテナ７３と接地導体７２との間にタグＩＣ５が電気的に接続されている点、及び、それらの構成に加えて、前記直流遮断コプレーナ線路アンテナ７３と同一の接地導体７２に、両端が電気的に開放された中心導体１０を有するコプレーナ線路からなる補助コプレーナ線路アンテナ９と、アンテナ接続用コプレーナ線路１１とが形成されており、前記直流遮断コプレーナ線路アンテナ７３の中心導体７４と補助コプレーナ線路アンテナ９の中心導体１０とがアンテナ接続用コプレーナ線路１１の中心導体１２によって接続されている点に特徴がある。
【００８７】
直流遮断コプレーナ線路アンテナ７３の中心導体７４と補助コプレーナ線路アンテナ９の中心導体１０とは互いに平行となるように配置されており、それら２つの中心導体７４と中心導体１０の各中心部付近（長さ方向の中心部付近）に、それぞれアンテナ接続用コプレーナ線路１１の中心導体１２が接続されている。
【００８８】
補助コプレーナ線路アンテナ９のコプレーナ線路長は、直流遮断コプレーナ線路アンテナ７３と同様に、コプレーナ線路における通信周波数の等価電気波長（管内波長）λｇの略λｇ／２の長さに設定されている。また、補助コプレーナ線路アンテナ９は、直流遮断コプレーナ線路アンテナ７３と同様に、中心導体１０の端部は開放端であり、接地面である接地導体７２とは直流的に遮断されている。
【００８９】
アンテナ接続用コプレーナ線路１１は、そのコプレーナ線路の通信周波数での等価電気波長（管内波長）λｇの略λｇ／２の長さに設定されている。
【００９０】
この例によれば、直流遮断コプレーナ線路アンテナ７３の中心導体７４と補助コプレーナ線路アンテナ９の中心導体１０とが互いに平行であり、直流遮断コプレーナ線路アンテナ７３の電界方向（電波放射偏波面）と、補助コプレーナ線路アンテナ９の電界方向（電波放射偏波面）とが同方向となるので、電界放射の強度が強くなるという利点がある。
【００９１】
また、直流遮断コプレーナ線路アンテナ７３及び補助コプレーナ線路アンテナ９のそれぞれにスロット線路７６を設けているので、これらスロット線路７６の長さを調整することにより、直流遮断コプレーナ線路アンテナ７３及び補助コプレーナ線路アンテナ９の各等価線路長を変えることで、指向特性の最適状態を実験的に調整することが可能になる。
【００９２】
なお、この例において無線タグＴ７の動作は、前記した＜実施形態１＞と同じであるので、その詳細な説明は省略する。ただし、リーダから信号波を受信する時、送られてきた信号の電界成分は、直流遮断コプレーナ線路アンテナ７３及び補助コプレーナ線路アンテナ９の中心導体７４，１０の電界成分（図７の横方向の電界成分）と平行な電界成分を有するようリーダアンテナの設定が必要である。
【００９３】
＜実施形態６＞
図８は本発明に無線タグの別の例を示す図である。
【００９４】
この例の無線タグＴ８は、誘電体基板（図示せず）上に接地導体８２を形成した平面構造のマルチアンテナタグであって、図５の例と同様に、接地導体８２に、両端が開放された中心導体８４からなる直流遮断コプレーナ線路アンテナ８３と、スロット線路８６が形成されており、直流遮断コプレーナ線路アンテナ８３と接地導体８２との間にタグＩＣ５が電気的に接続されている点、及び、それらの構成に加えて、前記直流遮断コプレーナ線路アンテナ８３と同一の接地導体８２に、両端が電気的に開放された中心導体１４からなるコプレーナ線路からなる補助コプレーナ線路アンテナ１３と、アンテナ接続用コプレーナ線路１５とが形成されており、前記直流遮断コプレーナ線路アンテナ８３の中心導体８４と補助コプレーナ線路アンテナ１３の中心導体１４とがＬ字状のアンテナ接続用コプレーナ線路１５の中心導体１６によって接続されている点に特徴がある。
【００９５】
直流遮断コプレーナ線路アンテナ８３の中心導体８４と補助コプレーナ線路アンテナ１３の中心導体１４とは互いに直交するように配置されており、それら２つの中心導体８４と中心導体１４の各中心部付近（長さ方向の中心部付近）に、それぞれ、Ｌ字状のアンテナ接続用コプレーナ線路１５の中心導体１６が接続されている。
【００９６】
補助コプレーナ線路アンテナ１３のコプレーナ線路長は、直流遮断コプレーナ線路アンテナ８３と同様に、コプレーナ線路における通信周波数の等価電気波長（管内波長）λｇの略λｇ／２の長さに設定されている。さらに、補助コプレーナ線路アンテナ１３は、直流遮断コプレーナ線路アンテナ８３と同様に、中心導体１４の端部は開放端であり、接地面である接地導体８２とは直流的に遮断されている。
【００９７】
この例によれば、直流遮断コプレーナ線路アンテナ８３の中心導体８４と補助コプレーナ線路アンテナ１３の中心導体１４とが互いに直交する配置であり、直流遮断コプレーナ線路アンテナ８３の電界方向（電波放射偏波面）と、補助コプレーナ線路アンテナ１３の電界方向（電波放射偏波面）とが異なる方向（互いに直交する方向）であるので、リーダアンテナからの送信信号が垂直または水平偏波信号であれば、いずれの信号とも通信可能である。
【００９８】
この場合、２つのアンテナから送出される信号は直交しているため、互いのアンテナから送出される信号の位相関係は自由に設定できる。従って、アンテナ接続用コプレーナ線路１５のコプレーナ線路の線路長は、コプレーナ線路の通信周波数での等価電気波長（管内波長）λｇの半波長（略λｇ／２）であってもよいし、一波長（略λｇ）であってもよい。
【００９９】
また、直流遮断コプレーナ線路アンテナ８３にスロット線路８６を設けているので、そのスロット線路８６の長さを調整することにより、直流遮断コプレーナ線路アンテナ８３の等価線路長を変えることで、指向特性の最適状態を実験的に調整することが可能になる。このような調整用のスロット線路は補助コプレーナ線路アンテナ１３に設けておいてもよい。
【０１００】
なお、この例において無線タグＴ８の動作は、前記した＜実施形態１＞と同じであるので、その詳細な説明は省略する。リーダから信号波を受信する時、送られてきた信号の電界成分は、直流遮断コプレーナ線路アンテナ８３の中心導体８４の電界成分（図８の横方向の電界成分）、または、補助コプレーナ線路アンテナ１３の中心導体１４の電界成分（図８の縦方向の電界成分）に、平行な電界成分を有するようなリーダアンテナであればよく、通信の自由度が高い。
【０１０１】
ここで、図８の例及び前記した図７の例においては、補助アンテナとして、１つの直流遮断コプレーナ線路アンテナを用いた例を示しているが、同様の考えで、別の補助コプレーナ線路アンテナを補助アンテナと別のアンテナ接続用コプレーナ線路を付加してマルチアンテナタグを形成してもよい。なお、補助アンテナは、コプレーナアンテナ型に限定されるものではないが、他の方式の補助アンテナを採用する場合には、接地面との間で直流遮断する構成が必要である。
【０１０２】
＜実施形態７＞
前記した図７及び図８に示した例では、マルチアンテナ型の無線タグを構成する直流遮断コプレーナ線路アンテナと補助コプレーナ線路アンテナとを同一の平面上に形成しているが、これに限られることなく、直流遮断コプレーナ線路アンテナと補助コプレーナ線路アンテナとを異なる平面上または曲面上に形成してもよい。その具体的な例を図９及び図１０に示す。
【０１０３】
図９の無線タグＴ９は、基本的に図７の例と同じ構造であるが、マルチアンテナを構成する直流遮断コプレーナ線路アンテナ９３と補助コプレーナ線路アンテナ９９とを、それぞれ、物品のケース９０（もしくは機器筐体等）の上面及び側面（互いに直交する２面）に形成している点に特徴がある。
【０１０４】
このように直流遮断コプレーナ線路アンテナ９３と補助コプレーナ線路アンテナ９９とを互いに直交する平面上に形成することにより、物品の無線タグＴ９に対して、２方向からリーダアンテナで通信することが可能になる。これにより、物品の搬送時や、倉庫等での保管時の物品の配置状態において、無線タグＴ９との通信がどちらからでも可能となる結果、タグ読取操作の自由度が高まる。
【０１０５】
図１０の無線タグＴ１０は、基本的に図７の例と同じ構造であるが、マルチアンテナを構成する直流遮断コプレーナ線路アンテナ１０３と補助コプレーナ線路アンテナ１０９とを円筒形状の容器１００の外周面（曲面）に形成した点に特徴がある。
【０１０６】
この例においても、容器１００に形成された無線タグＴ１０に対して、２方向からリーダアンテナで通信することが可能になる。これにより、容器等の搬送時や、倉庫等での保管時の容器等の配置状態において、無線タグＴ１０との通信がどちらからでも可能となる結果、タグ読取操作の自由度が高まる。
【０１０７】
なお、図９及び図１０では、図７に示す構造のマルチアンテナタグを適用した例を示しているが、これに限られることなく、図８に示す構造のマルチアンテナタグを適用してもよい。
【０１０８】
ここで、本発明の無線タグにおいて、直流遮断コプレーナ線路アンテナのコプレーナ線路の線路長はλｇ／２に限られることなく、略λｇ／２の奇数（３以上の奇数）倍であってもよい。
【０１０９】
＜実施形態８＞
以上の各例では、無線タグの基本構成について説明したが、本発明の無線タグは、他の目的に用意された部品実装基板、電子機器の筺体、容器などの各種物品に形成された金属導体層を利用してタグ機能を持たせることも可能である。その具体的な例を以下に説明する。
【０１１０】
−部品実装基板−
一般に、電気・情報・通信などの各種の機器（装置）では、電子制御用の部品を搭載する部品実装基板が利用される。部品実装基板には接地面（金属層）が形成される場合が多く、この例では部品実装基板の接地面や金属面を利用してタグを形成している。その具体的な構成を図１１を参照しながら説明する。なお、図１１（Ａ）は部品実装基板２０８の斜視図、図１１（Ｂ）はその部品実装基板２０８を裏面から見た要部構造図である。
【０１１１】
部品実装基板２０８の上面には部品２０９ａ，２０９ｂなどが搭載されており、この基板裏面には金属層を一様に積層した接地面（接地導体）２０２が形成されている。
【０１１２】
そして、この例では、部品実装基板２０８裏面の接地面２０２の隅部に、スリットを加工して、図２に示したものと同形状の直流遮断コプレーナ線路アンテナ２０３及びスロット線路２０６を形成するとともに、直流遮断コプレーナ線路アンテナ２０３の中心導体２０４と接地面２０２（接地導体）との間にタグＩＣ５を接続することにより、無線タグＴ２０を構成している点に特徴がある。
【０１１３】
この例において部品実装基板２０８に形成された無線タグＴ２０は、図１４に示すようなリーダＲＷからの信号を直流遮断コプレーナ線路アンテナ２０３で受け、タグ内のタグＩＣ５で入力信号に反射変調を与え、再び直流遮断コプレーナ線路アンテナ２０３からリーダＲＷ側に放射され、リーダＲＷで受信・復調されるという通常のＲＦＩＤ動作で使用される。
【０１１４】
この例において部品実装基板２０８の接地面２０２に形成された無線タグＴ２０は、部品実装基板２０８の製造月日や使用部品、修理履歴などの固有の情報が記録される。その記録情報は、図１４に示すようなリーダＲＷにて認識することができる。
【０１１５】
なお、この例において、無線タグの形成位置は基板接地面であれば、特に制限はなく、部品実装基板２０８の空領域の任意の位置を利用することができる。
【０１１６】
また、この例では部品実装基板２０８の接地面に無線タグを形成しているが、これに限られることなく、例えば、機器（装置）内の部品ケース、部品間の電波干渉を阻止するための金属板あるいは放熱板等の金属板などに、上記したようなタグアンテナ用のスリットを設けることにより、簡単に無線タグを構成することができる。また、コプレーナ線路の中心導体は、接地面と機械的に接続されていないので、場合によっては金属板の裏面に誘電体フィルム等を用いて接地面と平面的に固定する方法などが有効になる。
【０１１７】
この例において、容器２２０に形成する無線タグとしては、図２の無線タグのほか、図１または図３〜図８に示した無線タグであってもよい。
【０１１８】
−電子機器−
図１２に電子機器に無線タグを形成した例を示す。なお、図１２（Ａ）は電子機器２１０の斜視図、図１２（Ｂ）はその電子機器２１０の筐体２１１の要部断面図である。
【０１１９】
電子機器（パソコン等）２１０の筐体２１０ａは、プラスチック等で構成されており、その筐体２１０ａの表面に、機構強度の問題や電波不要輻射や干渉阻止等のために金属コーティングによる金属面２１２が形成されている。金属面は裏面にあってもよい。
【０１２０】
この例では、筐体２１０ａの金属面（接地導体）２１２にスリット２１１ａを加工して、図２に示したものと同形状の直流遮断コプレーナ線路アンテナ２１３及びスロット線路２１６を形成するとともに、直流遮断コプレーナ線路アンテナ２１３の中心導体２１４と金属面２１２（接地導体）との間にタグＩＣ５を接続することにより、無線タグＴ２１を構成している点に特徴がある。
【０１２１】
この例において電子機器２１０に形成された無線タグＴ２１は、図１４に示すようなリーダＲＷからの信号を直流遮断コプレーナ線路アンテナ２１３で受け、タグ内のタグＩＣ５で入力信号に反射変調を与え、再び直流遮断コプレーナ線路アンテナ２１３からリーダＲＷ側に放射され、リーダＲＷで受信・復調されるという通常のＲＦＩＤ動作で使用される。
【０１２２】
この例において、電子機器２１０の筐体２１０ａに形成された無線タグＴ２１は、電子機器２１０の製造月日や使用部品、修理履歴などの固有の情報が記録される。その記録情報は、図１４に示すようなリーダＲＷにて認識することができる。
【０１２３】
なお、無線タグを形成する電子機器としては、パソコンのほか、テレビ、冷蔵庫、携帯電話などの種々の機器を挙げることができる。
【０１２４】
この例において、電子機器２１０の筐体２１０ａに形成する無線タグとしては、図２の無線タグほか、図１または図３〜図８に示した無線タグであってもよい。
【０１２５】
−容器−
図１３に瓶や各種の容器２２０の表面に貼り付けた薄い金属膜２２２に無線タグを形成した例を示す。
【０１２６】
容器（瓶）２２０の壁体２２０ａ表面に金属膜２２２を貼り付け、その金属膜（接地導体）２２２にスリットを加工して、図２に示したものと同形状の直流遮断コプレーナ線路アンテナ２２３及びスロット線路２２６を形成するとともに、直流遮断コプレーナ線路アンテナ２２３の中心導体２２４と金属膜２２２（接地導体）との間にタグＩＣ５を接続することにより、無線タグＴ２２を構成している点に特徴がある。
【０１２７】
この例において容器２２０に形成された無線タグＴ２２は、図１４に示すようなリーダＲＷからの信号を直流遮断コプレーナ線路アンテナ２２３で受け、タグ内のタグＩＣ５で入力信号に反射変調を与え、再び直流遮断コプレーナ線路アンテナ２２３からリーダＲＷ側に放射され、リーダＲＷで受信・復調されるという通常のＲＦＩＤ動作で使用される。
【０１２８】
なお、他の例として、ポリアミドやポリ塩化ビニール等の誘電体シートの表面に金属膜が貼り付けられたラベルを用い、そのラベルの金属膜にスリットを加工して、図１１〜図１３に示したような無線タグＴ２０〜Ｔ２２を作製して、各種物品に貼り付けるようにしてもよい。
【０１２９】
ここで、以上説明した無線タグは各種の物品、商品に利用することができる。また、パソコン、テレビ、冷蔵庫、携帯電話、カメラ等の各種電子情報・家電機器等への組み込み無線タグとして有効に利用できる。
【産業上の利用可能性】
【０１３０】
本発明は、ＦＡ・物流・流通などの各種分野において通信の信頼性・自由度が高いＲＦＩＤシステムを構築する際に有効に利用できる。また、本発明の無線タグは、例えばパソコン、テレビ、冷蔵庫、携帯電話、カメラ等の各種電子情報・家電機器等への組み込み無線タグとして有効に利用できる。
【図面の簡単な説明】
【０１３１】
【図１】本発明の無線タグの一例を模式的に示す正面図（Ａ）及び断面図（Ｂ）を併記して示す図である。
【図２】本発明の無線タグの他の例を示す図である。
【図３】本発明の無線タグの別の例を示す図である。
【図４】本発明の無線タグの別の例を示す図である。
【図５】本発明の無線タグの別の例を示す図である。
【図６】本発明の無線タグの別の例を示す図である。
【図７】本発明の無線タグの別の例を示す図である。
【図８】本発明の無線タグの別の例を示す図である。
【図９】本発明の無線タグの別の例を示す図である。
【図１０】本発明の無線タグの別の例を示す図である。
【図１１】本発明の無線タグを備えた部品実装基板の斜視図（Ａ）及びその部品実装基板の要部構造図（Ｂ）を併記して示す図である。
【図１２】本発明の無線タグを備えた電子機器の斜視図（Ａ）及びその電子機器の筐体の要部断面図（Ｂ）を併記して示す図である。
【図１３】本発明の無線タグを備えた容器の斜視図である。
【図１４】ＲＦＩＤシステムの基本構成を示す図である。
【図１５】従来の無線タグの一例を示す図である。
【図１６】タグＩＣの一例を示す図である。
【図１７】電子回路一体型アンテナの一例を示す図である。
【符号の説明】
【０１３２】
Ｔ０，Ｔ１  無線タグ
１  誘電体基板
２  接地導体
３  直流遮断コプレーナ線路アンテナ
４  中心導体
５  タグＩＣ
６  スロット線路
７  一端開放コプレーナ線路
８  中心導体
９  補助コプレーナ線路アンテナ
１０  中心導体
１１  アンテナ接続用コプレーナ線路
１２  中心導体
２０８  基板搭載部品
２１０  電子機器
２２０  容器
Ｔ２０，Ｔ２１，Ｔ２２  無線タグ
ＲＷ  リーダ
【図１】
2005149298.tif 000003
【図２】
2005149298.tif 000004
【図３】
2005149298.tif 000005
【図４】
2005149298.tif 000006
【図５】
2005149298.tif 000007
【図６】
2005149298.tif 000008
【図７】
2005149298.tif 000009
【図８】
2005149298.tif 000010
【図９】
2005149298.tif 000011
【図１０】
2005149298.tif 000012
【図１１】
2005149298.tif 000013
【図１２】
2005149298.tif 000014
【図１３】
2005149298.tif 000015
【図１４】
2005149298.tif 000016
【図１５】
2005149298.tif 000017
【図１６】
2005149298.tif 000018
【図１７】
2005149298.tif 000019